(57)【要約】      （修正有）【課題】法面の凹凸形状に依存せずに受圧板を安定して設置することができ、また、受圧板を変えることなく法面の許容地盤支持力に合わせて設置することが可能であり、しかも作業工数の削減、設置時間の短縮、作業労力の低減を図ることが可能なアンカー工法用受圧装置及びアンカー工法を提供する。【解決手段】クリンプ金網と、その内側に配筋された鉄筋と、この鉄筋に固定されて法面１に削孔されたアンカー孔２に固定される引張材３を挿通させる挿入管２０とを有して構成された枠体７にモルタル又はコンクリートを吹き付けて法面１に法面ブロック４を直接打設成型し、この法面ブロック４の上面に挿入管２０を挿通させた引張材３を挿通させる養生管２７を備えた受圧板５を設置し、緊張させた引張材３をこの受圧板５に定着具６で定着する。【選択図】図１
2010216162.tif 000002
【特許請求の範囲】
【請求項１】
クリンプ金網と、その内側に配筋された鉄筋と、前記鉄筋に固定されて法面に削孔されたアンカー孔に固定される引張材を挿通させるための挿入管とを有して構成される枠体を備え、この枠体と一体をなしてモルタル又はコンクリートで前記法面に直接打設成型された法面ブロックと、
この法面ブロックの上面に設置され、前記挿入管を挿通させた引張材を挿通させる養生管を備えた受圧板と、
この受圧板に取り付けられて前記養生管を挿通した前記引張材を定着する定着具と、
を有することを特徴とするアンカー工法用受圧装置。
【請求項２】
前記枠体の内側に配筋された鉄筋は、格子状の上端筋と下端筋とを有して構成され、
前記挿入管は、前記上端筋と前記下端筋の少なくとも一方に固定されて、上端側が前記上端筋よりも上側に突出すると共に、下端側が前記下端筋から下側に延びて前記アンカー孔に挿入されることを特徴とする請求項１に記載のアンカー工法用受圧装置。
【請求項３】
前記挿入管は、前記枠体の鉄筋に着脱可能であり、前記下端側にアンカープレートが取り付けられていることを特徴とする請求項１又は２記載のアンカー工法用受圧装置。
【請求項４】
前記受圧板は、前記養生管の上面に設置されたトッププレートと、前記養生管の下面に設置されたボトムプレートと、これら前記トッププレートと前記ボトムプレートとの間に設置されたリブプレートとを有して構成されることを特徴とする請求項１に記載のアンカー工法用受圧装置。
【請求項５】
前記受圧板の前記養生管は、前記法面ブロックに向かうにつれて径が大きくなることを特徴とする請求項１又は４記載のアンカー工法用受圧装置。
【請求項６】
法面に削孔されたアンカー孔に引張材を挿入して、その挿入された先端部をアンカー孔に充填した固化材で固定し、
クリンプ金網と、その内側に配筋された鉄筋と、前記鉄筋に取り付けられた挿入管とを有して構成される枠体を、前記アンカー孔から突出した前記引張材の後端部を前記挿入管に挿通させた後に前記法面に設置し、
前記法面に設置された前記枠体にモルタル又はコンクリートを吹き付けて前記法面に法面ブロックを直接打設成型し、
しかる後に、養生管を備えた受圧板を、前記挿入管から突出した前記引張材の後端部を前記養生管に挿通させた後に前記法面ブロックの上面に設置し、
この受圧板に前記引張材の後端部を所定の力で緊張して定着具で定着することを特徴とするアンカー工法。
【請求項７】
前記枠体の内側に配筋された鉄筋は、格子状の上端筋と下端筋とを有して構成され、
前記挿入管は、前記上端筋よりも上側に突出すると共に前記下端筋から下側に延ばすように前記鉄筋に取り付けられており、
前記枠体を前記法面に設置する際に、前記挿入管を前記アンカー孔に挿入することを特徴とする請求項６に記載のアンカー工法。
【請求項８】
前記受圧板は、前記養生管の上面に設置されたトッププレートと、前記養生管の下面に設置されたボトムプレートと、これら前記トッププレートと前記ボトムプレートとの間に設置されたリブプレートとを有して構成され、
前記養生管は、前記法面ブロックに向かうにつれて径が大きく形成され、
前記受圧板は、前記法面ブロックの上面に設置する際に前記引張材の後端部の突出方向に合わせて設置位置が調整されることを特徴とする請求項６記載のアンカー工法。
【発明の詳細な説明】
【技術分野】
【０００１】
本願発明は、地中に固化材によって造成する定着部と地表部の構造物とを高強度の引張材で連結させ、引張力を利用して不安定斜面を安定させるためのアンカー工法用受圧装置及びアンカー工法に関する。
【背景技術】
【０００２】
従来のグラウンドアンカー工法は、法面の崩壊を防ぐため、図１３に示すように、傾斜した法面Ａにアンカー孔Ｂを削孔した後、引張材（ＰＣ鋼材）Ｃをアンカー孔Ｂ内に挿入し、固化材Ｄをグラウティングした後に、法面Ａにプレキャストコンクリート製の受圧板Ｅを据付け、この受圧板Ｅに引張材Ｃを所定の力で緊張・定着することにより、受圧板Ｅを法面Ａに圧設するようにしていた。
【０００３】
しかしながら、このような工法においては、一般的に法面には凹凸があるため、受圧板の裏面と法面との間に隙間が生じてこれらが十分に密着せず、受圧板の設置が不安定になるという問題があった。特に法面の凹凸が激しい場合には、緊張時に受圧板の裏面に部分的に応力が集中し、受圧板に亀裂を発生させてしまうおそれがある。
【０００４】
このため、従来においては、下記する特許文献１や非特許文献１に示されるように、受圧板の裏面と法面との間に、多孔質物質を収容した変形可能なざぶとん材を介在させ、このざぶとん材内にセメントミルクを充填して多孔質物質内に含浸・保持させることで受圧板と法面との間に形成される隙間をなくすようにした工法が考えられている。
【０００５】
また、特許文献２に示されるように、受圧板１の裏側に、小さい表面積を有する裏板体を設けると共に傾斜法面の下側に型枠を設け、受圧板１の裏側と法面との間に隙間を形成し、この隙間にコンクリートを充填するようにした工法や、特許文献３に示されるように、内部にセメント系モルタル又はコンクリートを注入可能とする外殻、及び、この外殻と結合して外殻内に固定されるコンクリート補強用鉄筋かごを備えた受圧板用部材を用意し、この受圧板用部材をその中央部に形成されたアンカー挿通孔に地山のアンカー孔に仮止されたアンカー部材を挿通させた後に地山に直接仮固定し、外殻内部にセメント系モルタル又はコンクリートを注入して硬化させることにより受圧板を形成し、この受圧板をアンカー部材に永久固定するようにした工法などが公知となっている。
【０００６】
さらに、凹凸法面に対応する工法として、特許文献４や非特許文献２に示されるように、法面に鋼製支圧板を設置して一次緊張を行い、続いて鋼製支圧板の周囲にRC受圧板（現場打鉄筋コンクリート製受圧板）を構築後、必要抑止力（設計アンカー力）を二次緊張することで、鋼製支圧板とＲＣ受圧板とを一体化した独立受圧板構造体により法面の安定を確保するようにしたグラウンドアンカー工法（ＧＲＡＳＰ工法）も公知となっている。
【０００７】
このＧＲＡＳＰ工法は、現場にてRC受圧板を製作するため、部材の運搬が容易となり、大型機械や大型車両の進入不可能な箇所等での斜面の補強、安定に適しているもので、より具体的な施工手順は、以下の通りである。
（ｉ）  先ず、法面に削孔されたアンカー孔に引張材を挿入して、その挿入端部をアンカー孔に充填した固化材で固定した後、削孔アンカー軸芯に合わせて鋼製支圧板を設置する部位をモルタル又は吹付コンクリートにて平坦となるように下地処理を行う。
（ii）  そして、この下地処理した部位に組み立てた鋼製支圧板を設置し、
（iii）  上部伝達板の上にアンカープレート・アンカー固定金具を設置して緊張ジャッキにて一次緊張を行う。
（iv)  その後、鋼製支圧板に取り付けられたジベル筋に配筋を行い鉄筋籠を製作・設置し、
（ｖ）  さらに、鉄筋籠の周囲に金網型枠を設置し、
（vi） この金網型枠の内部に圧送ポンプにてコンクリートを吹付け、表面をゴテにて仕上げる。この際、法面角度とアンカー角度が直交で無い場合には、上部伝達板天端部又はアンカープレート下端部に吹付Conを摺付けて仕上げる。
(vii）  その後、吹付コンクリートの強度を確認後、鋼製支圧板にアンカープレートを取り付けて二次緊張を行う。
（viii）  最後に、鋼製支圧板の伝達筒内を防蝕処理すると共に、アルミ製又はゴム製のアンカーキャップを設置する。         
【先行技術文献】
【特許文献】
【０００８】
【特許文献１】特開２０００−８０６５８号公報
【特許文献２】特開平９−２４２０７１号公報
【特許文献３】特開２００４−９２２６０号公報
【特許文献４】特公平５−８５６９６号公報
【非特許文献】
【０００９】
【非特許文献１】“ざぶとん裏込工法”、[online]、斜面受圧板協会、[平成２１年２月２５日検索]、インターネット、＜http://www.syamen.jp/gijyutu/zabuton.shtml＞
【非特許文献２】“GRASP工法”、[online]、斜面受圧板協会、[平成２１年２月２５日検索]、インターネット、＜http://www.grasp-assoc.jp/download/gaiyou.pdf＞
【発明の概要】
【発明が解決しようとする課題】
【００１０】
しかしながら、前記特許文献１や非特許文献１に係るざぶとん材を介在させるグラウンドアンカー工法は、受圧板の法面に臨む側の面が平面状に形成されているだけであるので、法面に形成されている凹凸状態が大きくなると、法面に仮設した受圧板と法面との間にセメントミルクを充填して固化させる間に、受圧板の姿勢が安定に維持されにくく、その結果、セメントミルクの充填が不十分な箇所が発生するおそれがあり、凹凸法面の各種形状に相応させることが困難になる場合がある。また、包袋の中に充填した未固化充填材が、その自重で法面に沿って低い方に流動して、未固化充填材が包袋ごと受圧板の下面側から外方にはみ出してしまい、受圧板と法面との隙間をなくすことができなくなる不都合もある。
【００１１】
さらに、上述した構成においては、法面の許容地盤支持力に合わせて、受圧板の大きさを変更する必要があり、通常、法面の許容地盤支持力を見越して１段階上の大きさの受圧板を選択する必要があるため、受圧板やそれを設置するための機材の運搬等の作業労力が非常に大きくなる不都合がある。
【００１２】
また、受圧板と法面との間に積極的に隙間または空間を形成し、そこにコンクリートやモルタルを注入する特許文献２又は３に係るグラウンドアンカー工法においては、受圧板や受圧板用部材を法面に設置した後にこれらと法面との間にコンクリートやモルタルを注入するので、目視による確認が行いにくく、コンクリートやモルタルで充分に隙間や空間を塞ぐことができない場合もでてくる。
【００１３】
これに対して、ＧＲＡＳＰ工法（特許文献４、非特許文献２）においては、鋼製支圧板の周囲に現場吹付けによるＲＣ受圧板が構築されるので、法面が凹凸の場合でも密着性がよく、裏込めが不要となると共に目視によりコンクリートの打設状態を確認でき、また、現場での作業が中心となるので、機材等を運搬の労力が小さくなるメリットはあるが、ＧＲＡＳＰ工法は、前述したように、鋼製支圧板を設置するために予め下地処理が必要となるため、全作業工程で吹付け作業が２回必要となり、設置作業に時間がかかると共に手間がかかる不都合がある。また、鋼製支圧板を固定するために引張材の一次緊張を行う作業が必要となるため、全作業工程で緊張作業も２回必要となり、作業工数が多くなる不都合がある。
【００１４】
さらに、法面角度とアンカー角度が直交していない場合には、伝達筒が傾動する自在型の鋼製支圧板を用いる必要があり、現場に応じて伝達筒が法面に対して垂直に固定された固定型の鋼製支圧板と前記自在型の鋼製支圧板とを使い分ける必要があるため、共通した支圧板で対応することができず、現場に合わせた慎重な選択が要請される。また、法面とアンカー角度とが直交していない場合には、上部伝達板天端部又はアンカープレート下端部に吹付Conを摺付ける作業が必要となるので、作業が一層煩雑となり、また、ＲＣ受圧板の表面の仕上がりが、吹付Conの摺付作業の有無によってばらつくため、表面の処理に自由度を持たせにくいものであった。
【００１５】
本願発明は、以上の点に鑑みてなされたものであり、その目的は、法面の凹凸形状に依存せずに受圧板を安定して設置することができ、また、受圧板を変えることなく法面の許容地盤支持力に合わせて設置することが可能であり、しかも設置工数を減らして設置時間を短縮すると共に設置部材の運搬等の作業労力を低減することが可能なアンカー工法用受圧装置及びアンカー工法を提供することを主たる課題としている。
また、法面角度とアンカー角度が直交しない場合にも対応することができ、また、アンカー設置個所の表面処理に自由度を持たせることをも課題としている。
【課題を解決するための手段】
【００１６】
上記課題を解決するために、本発明に係るアンカー工法用受圧装置は、クリンプ金網と、その内側に配筋された鉄筋と、前記鉄筋に固定されて法面に削孔されたアンカー孔に固定される引張材を挿通させるための挿入管とを有して構成される枠体を備え、この枠体と一体をなしてモルタル又はコンクリートで前記法面に直接打設成型された法面ブロックと、この法面ブロックの上面に設置され、前記挿入管を挿通させた引張材を挿通させる養生管を備えた受圧板と、この受圧板に取り付けられて前記養生管を挿通した前記引張材を定着する定着具とを有することを特徴としている。
【００１７】
したがって、引張材が固定されたアンカー孔が形成されている法面上に、モルタル又はコンクリートで直接打設成型した法面ブロックが設置されるので、法面ブロックの設置は、法面の凹凸状態に依存せず、また、法面を格別に調整する必要もない。このため、法面の凹凸状態に拘わらず、法面ブロックと法面との間に隙間が形成されることがなくなり、法面ブロックを法面に精度よく密着させて安定に設置することが可能となる。そして、この法面ブロックの上面に受圧板を設置し、この受圧板に引張材を緊張して定着具で定着するので、受圧板を法面ブロックに安定に設置することが可能となる。
また、アンカー設置作業において、モルタル又はコンクリートでの打設作業は１回で済み、また、引張材の緊張作業も１回で済むので、作業工数を削減でき、設置に要する時間を短縮することが可能となる。
【００１８】
さらに、枠体の大きさや形状を調節することで、法面の許容地盤支持力に見合った法面ブロックが設置できるので、法面ブロックに設置される受圧板を変更する必要がなく、各設置箇所で共通した受圧板を用いることが可能となる。さらに、法面ブロックは法面に対して直接打設成型されるので、予め成型した法面ブロックを運搬する作業が不要となり、作業労力を低減することも可能となる。
【００１９】
ここで、前記枠体の内側に配筋された鉄筋は、格子状の上端筋と下端筋とを有して構成され、前記挿入管は、前記上端筋と前記下端筋の少なくとも一方に固定されて、上端側が前記上端筋よりも上側に突出すると共に、下端側が前記下端筋から下側に延びて前記アンカー孔に挿入される構成としてもよい。
このような構成によれば、挿入管が枠体を設置する際のガイド部材として用いることができるので、挿入管をアンカー孔に挿着することにより枠体を所定箇所に容易に設置可能となる。
【００２０】
また、前記挿入管を、前記枠体の鉄筋に着脱可能とし、前記下端筋よりも下側の部分にアンカープレートを取り付けるようにするとよい。このような構成によれば、挿入管をアンカー孔の径に合わせて取り換え可能となり、また、アンカープレートの大きさを調節して、支圧耐力および法面ブロックへの固着力を調節することが可能となる。
【００２１】
さらに、前記受圧板は、前記養生管の上面にトッププレートが、前記養生管の下面にボトムプレートがそれぞれ設置され、これら前記トッププレートと前記ボトムプレートの間にリブプレートが設置された構成にしてもよい。このような構成にすれば、受圧板を鋼製にした場合でも軽量化を図りつつ強度を確保することが可能となる。
【００２２】
さらにまた、前記受圧板の養生管は、前記法面ブロックに向かうにつれて径を大きくするとよい。アンカー孔が法面に対して垂直でない場合には、引張材の後端部が法面に対して垂直に引き出せなくなるが、法面ブロックに設置される受圧板の養生管を法面ブロックに向かうにつれて径を大きくすることで、このような引張材の突出方向のずれを吸収することが可能となり、受圧板を複数種類用意する必要がなくなる。
【００２３】
また、上記課題を解決するためのアンカー工法は、法面に削孔されたアンカー孔に引張材を挿入して、その挿入された先端部をアンカー孔に充填した固化材で固定し、クリンプ金網と、その内側に配筋された鉄筋と、前記鉄筋に取り付けられた挿入管とを有して構成される枠体を、前記アンカー孔から突出した前記引張材の後端部を前記挿入管に挿通させた後に前記法面に設置し、前記法面に設置された前記枠体にモルタル又はコンクリートを吹き付けて前記法面に法面ブロックを直接打設成型し、しかる後に、養生管を備えた受圧板を、前記挿入管から突出した前記引張材の後端部を前記養生管に挿通させた後に前記法面ブロックの上面に設置し、この受圧板に前記引張材の後端部を所定の力で緊張して定着具で定着することを特徴としている。
【００２４】
したがって、引張材が固定されたアンカー孔が形成されている法面上に枠体を設置し、この枠体にモルタル又はコンクリートを吹き付けて法面に法面ブロックを直接打設成型するので、法面の凹凸状態に拘わらず、法面ブロックと法面との間に隙間が形成されることがなくなり、法面ブロックを法面に精度よく密着させて安定に設置することが可能となる。そして、この法面ブロックの上面に引張材の後端部を養生管に通した受圧板を設置し、この受圧板に引張材を緊張して定着具で定着するので、受圧板を法面ブロックに安定に設置することが可能となり、受圧板を大きくする必要がなくなる。
【００２５】
また、枠体の大きさや形状を調節することで、法面の許容地盤支持力に対応させた法面ブロックの設置が容易に行え、また、法面ブロックは法面に対して現場で直接打設成型されるので、予め成型した法面ブロックを運搬する必要がなく、作業労力を低減することが可能となる。
【００２６】
ここで、前記枠体の内側に配筋された鉄筋は、格子状の上端筋と下端筋とを有して構成され、前記挿入管は、前記上端筋よりも上側に突出させると共に前記下端筋から下側に延ばすように前記鉄筋に取り付けられており、前記枠体を前記法面に設置する際に、前記挿入管を前記アンカー孔に挿入するとよい。
このような構成によれば、枠体の法面への設置において、挿入管がガイドとなるため、枠体を正確かつ迅速に法面に設置することが可能となる。
【００２７】
また、受圧板は、前記養生管の上面にトッププレートを設置すると共に前記養生管の下面にボトムプレートが設置され、これら前記トッププレートと前記ボトムプレートとの間にリブプレートを設置し、また、前記養生管を、前記法面ブロックに向かうにつれて径を大きく形成し、前記受圧板を、前記法面ブロックの上面に設置する際に引張材の後端部の突出方向に合わせて設置位置を調整するようにしてもよい。
このような構成によれば、アンカー孔が法面に対して垂直でない場合でも、引張材の突出方向のずれを養生管により吸収することが可能となり、受圧板を複数種類用意する必要がなくなる。
【発明の効果】
【００２８】
以上述べたように、本発明によれば、法面に設置した枠体にモルタル又はコンクリートを吹き付けて法面に対して法面ブロックを直接打設成型し、この法面ブロックの上面に受圧板を設置して緊張した引張材を定着するようにしたので、法面ブロックの裏面を凹凸な法面に隙間なく密着させることができ、法面ブロックを安定に設置することが可能となる。したがって、受圧板をこの法面ブロックに設置することで安定に設置することが可能となる。
【００２９】
また、モルタル又はコンクリートの打設作業は、法面ブロックを形成する際に１回行えばよく、また、引張材の緊張作業も、法面ブロックを形成してその上面に受圧板を設置した後に１回行えばいいので、前述したＧＲＡＳＰ工法に比べて、作業工数を減らすことが可能になると共にアンカー設置に要する時間を短くすることが可能となる。
【００３０】
さらに、枠体の大きさや形状を調節することで、法面の許容地盤支持力に対応させた法面ブロックの設置が容易に行え、また、法面ブロックは法面に対して直接打設成型されるので、予め成型した法面ブロックの運搬の必要もなく、法面における高所作業が容易かつ迅速に行え、作業労力を低減することが可能となる。
【００３１】
さらにまた、枠体の鉄筋に取り付けられる挿入管を下側に延ばしてアンカー孔に挿入させる構成とすることで、挿入管が枠体を設置する際のガイド部材として用いることができるので、枠体を所定箇所に容易に設置可能となる。
【００３２】
また、前記挿入管を前記枠体の鉄筋に着脱可能とし、挿入管の下端側にアンカープレートを取り付けるようにすれば、挿入管をアンカー孔の径に合わせて取り換え可能となり、また、アンカープレートの大きさを調節することで、支圧耐力および法面ブロックへの固着力を調節することが可能となる。
【００３３】
また、受圧板において、養生管の上面にトッププレートを、また、養生管の下面にボトムプレートをそれぞれ設置し、これらトッププレートとボトムプレートの間にリブプレートを設置するようにしたので、受圧板を鋼製とした場合でも軽量化を図りつつ強度を確保することが可能となり、引張材の緊張・定着を簡単かつ確実に行うことが可能となる。
【００３４】
さらにまた、前記受圧板の前記養生管を、法面ブロックに向かうにつれて径を大きくすることで、アンカー孔が法面に対して垂直でない場合においても、引張材の突出方向のずれを吸収することが可能となり、受圧板を複数種類用意する必要がなくなる。
【図面の簡単な説明】
【００３５】
【図１】本発明に係る受圧装置で法面を補強した状態を示す断面図である。
【図２】枠体を示す図であり、（ａ）はその平面図、（ｂ）はその側面図である。
【図３】枠体を示す斜視図である。
【図４】受圧板を示す図であり、（ａ）はその斜視図、（ｂ）はその平面図、（ｃ）は（ｂ）のα―α断面図である。
【図５】法面に形成されたアンカー孔に引張材を挿入してグラウティングした状態を示す断面図である。
【図６】枠体を設置する工程を示す図である。
【図７】枠体にモルタル又はコンクリートを吹き付けて法面ブロックを形成する工程を示す図であり、（ａ）は枠体を設置した法面を示す断面図、（ｂ）は法面ブロックの完成図である。
【図８】法面ブロックに受圧板を設置する過程を示す図であり、（ａ）はその断面図であり、（ｂ）は法面ブロックに受圧板を設置した状態を示す斜視図である。
【図９】法面ブロックに受圧板を設置し、ジャッキで緊張する状態を示す断面図である。
【図１０】法面ブロックで補強された法面の平面図である。
【図１１】他の形状の法面ブロックで補強された法面の平面図である。
【図１２】他の形状の法面ブロックで補強された法面の平面図である。
【図１３】従来のグラウンドアンカー工法を説明する図であり、（ａ）はその平面図、（ｂ）はその断面図である。
【発明を実施するための形態】
【００３６】
以下、本発明の実施の形態を図面に基づいて説明する。
【００３７】
本発明に係るアンカー工法用受圧装置は、図１に示されるように、法面１に削孔されたアンカー孔２に固定される引張材３が挿通されて法面１に対して圧設された状態で設置される法面ブロック４と、この法面ブロック４の上面に設置され、引張材３が挿通される受圧板５と、受圧板５に取り付けられて緊張させた引張材３を定着する定着具６とを有して構成されている。
【００３８】
法面ブロック４は、以下に述べる枠体７と一体をなし、モルタル又はコンクリートで法面１に対して直接打設成型されているもので、枠体７を法面１に設置した後にこの枠体７にモルタル又はコンクリートを吹き付けて成型される。
【００３９】
枠体７は、図２および図３に示すように、クリンプ金網８とフープタイ１５にて平面方形状に形成され、クリンプ金網８の内側に鉄筋９を配筋して構成されている。クリンプ金網８は上下の枠材１０，１１間に金網１２が設置されて構成され、平面方形に限らず、例えば平面三角形、平面五角形または平面円形等の任意の形状にすることができ、法面の許容地盤支持力に見合った大きさ、形状に組み立てられる。
【００４０】
鉄筋９は、対向するクリンプ金網８にわたって配筋された格子状の上端筋１３と、格子状の下端筋１４とからなり、上下の鉄筋１３，１４間には補強筋１７が配筋されている。
【００４１】
また上端筋１３の中央部および下端筋１４の中央部には挿入管２０が挿着されている。この挿入管２０は、鉄筋９に対して番線１９等で固定されており、この挿入管には、下端筋よりも下方となる位置にアンカープレート１８が溶接等により外装されている。このアンカープレートの大きさを調節することにより、支圧耐力および法面ブロックへの固着力を調節することができる。
【００４２】
挿入管２０は、上端側が法面ブロック４の上端筋１３よりも上方に突出するように設けられると共に、下端側が下端筋１４よりも下方に延設され、下端が斜めにカットされている（図面において左側から右側にかけて下側に傾斜して形成されている）。この挿入管２０は、鉄筋９に対して着脱自在に取り付けられ、アンカー孔２の径に応じた径のものに適宜取り換え可能となっている。
【００４３】
このような枠体７は、クリンプ金網８と鉄筋９とによって予め工場で製作するようにしても、現場で組み立てるようにしてもよく、予め工場で製作する場合においても、軽量であるため、現場に容易に搬送することが可能になる。
【００４４】
法面ブロック４の上面に設置される受圧板５は、鋼製のもので、図４に示すように、上側から下側にかけて径が徐々に拡大する養生管２７の上面にトッププレート２８が設置され、また養生管２７の下側にはボトムプレート２９が設置され、これらトッププレート２８とボトムプレート２９との間に補強用のリブプレート３０が設置された構成となっている。このリブプレート３０は、養生管の周方向に所定の間隔（この例では９０度の間隔）に設置され、上端がトッププレート２８に、下端がボトムプレート２９に、前端が養生管２７にそれぞれ溶接されている。また、この例では、隣り合うリブプレート間に補助リブプレート３１が設けられ、強度が高められている。そして、この養生管２７に引張材３の後端部が挿通され、この状態で受圧板５が法面ブロック４の上面に設置されている。
【００４５】
尚、定着具６は、緊張された引張材３の上部を定着するそれ自体周知のもので、例えばアンカーヘッドナットに引張材３をくさびにより定着するもの等が用いられる。
【００４６】
以上のアンカー工法用受圧装置を利用するアンカー工法は、法面１に設置した枠体７にモルタルを吹き付けて法面ブロック４を形成した後、この法面ブロック４の上面に受圧板５を設置し、引張材３を所定の力で緊張して法面ブロック４を法面１に圧接するものである。
【００４７】
以下、詳述すると、先ず、図５に示すように、法面１にアンカー孔２を削孔し、このアンカー孔２にＰＣ鋼線などの引張材３を複数本挿入し、この引張材３の後端部を法面１から適宜の長さ突出させる。そして、このアンカー孔２にグラウトなどの固化材３４を充填し、この固化材３４が固化することにより、引張材３の先端部を固定させる。
【００４８】
次に、図６に示すように、工場で製作された枠体７をワイヤーロープ３６等で斜面の設置部位となる法面１まで吊り上げ、引張材３の後端部を挿入管２０に通して、アンカー孔２を覆うように設置する。この際、枠体７は、アンカー孔２の周囲の法面上に設置された調整台座２１上に下端筋を載置させるように設置されると共に挿入管２０の下端側をアンカー孔２に挿入するように設置される。また、アンカープレート１８を法面１に当接させ、引張材３の後端部を挿入管２０の上部から突出させる。
【００４９】
したがって、このアンカー孔２に挿入管２０を挿入して枠体７を法面１に設置するので、挿入管２０が枠体７を設置する際のガイドとなり、枠体７を正確かつ迅速に法面１の所定位置に設置することが可能となる。また、このように枠体７が調整台座２１を介して設置されているため、枠体７と法面１との間にモルタルが打設される間隙部２２が形成される。
【００５０】
次に図７（ａ）に示すように、枠体７の内部に圧送ポンプによって圧送されたモルタル２３を吹き付けて法面ブロック４を形成する。この際、モルタルは、枠体７を覆うように（クリンプ金網８が見えないように）枠体７の外側にも若干吹き付けられ、また、図７（ｂ）に示されるように、法面ブロック４の上面を挿入管２０の上端と一致するように法面１に対して略水平な平坦面とする。これにより、このモルタル２３が硬化すると、法面ブロック４の上面から引張材３の後端部が適宜の長さ突出された状態となる。
【００５１】
次に図８に示すように、引張材３の後端部を養生管２７に挿通させて受圧板５を法面ブロック４の上面に設置する。その際、受圧板５は、引張材３の後端部の突出方向に合わせて設置位置を調整する。そして、その上からジャッキ２６を取り付け、図９に示すように、引張材３をジャッキ２６によって所定の力で緊張する。
【００５２】
その後、引張材３の上部を前記図１に示すように定着具６で定着することで、法面ブロック４が法面１に圧接される。このような方法によって、法面１に法面ブロック４を適宜の間隔毎に形成すると、図１０に示すように、法面１が多数の法面ブロック４で保護される。
【００５３】
したがって、上述の構成によれば、引張材３が挿入されて固化材により固定されたアンカー孔２を覆うように枠体７が法面１に設置され、この枠体７にモルタル又はコンクリートを吹き付けて法面上に法面ブロックが直接打設成型されるので、法面の凹凸状態に拘わらず、法面ブロックと法面との間に隙間が形成されることがなくなり、法面ブロックを法面に精度よく密着させて安定に設置することが可能となる。そして、この法面ブロックの上面に引張材を養生管に通した受圧板を設置し、この受圧板に引張材を緊張した上で定着具６で定着するので、受圧板５を法面ブロック４に安定に設置することが可能となり、受圧板５の形状や大きさを変えることなく、法面ブロック４の大きさや形状を調整することで法面の許容地盤支持力に対応させることが可能となる。
【００５４】
即ち、法面ブロック４の大きさや形状は、枠体７の大きさや形状を調整することで対応することができるので、例えば、図１１に示されるように、法面ブロック３２の角部を下側にして形成することにより、隣接する法面ブロック３２同士を角部で接するように形成することも、また、図１２に示されるように、平面十字形の法面ブロック３３を形成することも、上記と同様の工法で形成可能となり、設置個所の条件や要請に合わせて法面ブロック４の大きさや形状を適宜変更することで法面の許容地盤支持力を確保することができ、受圧板５は共通のものを用いることが可能となる。
【００５５】
また、アンカー設置作業において、モルタル又はコンクリートでの打設作業は１回で済み、また、引張材の緊張作業も１回で済むので、作業工数を削減でき、アンカー設置に要する時間を短縮することが可能となり、法面ブロックは法面に対して直接打設成型されるので、予め成型した法面ブロックを運搬する作業が不要となり、作業労力を低減することも可能となる。
【００５６】
さらに、アンカー孔２が法面１に対して垂直に削孔されていない場合でも、アンカー孔２から引き出される引張材３の突出方向のばらつきをテーパ状に形成された受圧板５の養生管２７により吸収することが可能となり、引張材３の突出方向に合わせて受圧板５を変更する必要がなくなる。また、受圧板５は法面ブロック４と別体をなして法面ブロック４の平坦な上面に設置されるので、法面ブロック４の表面装飾を受圧板５の形状によっても変更することができ、法面ブロック４の表面処理に自由度を持たせることが可能となる。
【００５７】
尚、上述した構成においては、法面ブロック４の上面が平坦に形成されるため、受圧板は法面ブロックの上面に直接設置すれば足りるが、受圧板５と法面ブロック４との間にざぶとん材を介在させて取り付けるようにしてもよい。
【符号の説明】
【００５８】
１，Ａ    法面
２，Ｂ   アンカー孔
３，Ｃ   引張材
４   法面ブロック
５，Ｅ  受圧板
６  定着具
７  枠体
８   クリンプ金網
９   鉄筋
１３   上端筋
１４   下端筋
１８   アンカープレート
２０   挿入管
２３   モルタル
２７   養生管
２８   トッププレート
２９   ボトムプレート
３０   リブプレート
３２，３３  法面ブロック
３４，Ｄ   固化材
【図１】
2010216162.tif 000003
【図２】
2010216162.tif 000004
【図３】
2010216162.tif 000005
【図４】
2010216162.tif 000006
【図５】
2010216162.tif 000007
【図６】
2010216162.tif 000008
【図７】
2010216162.tif 000009
【図８】
2010216162.tif 000010
【図９】
2010216162.tif 000011
【図１０】
2010216162.tif 000012
【図１１】
2010216162.tif 000013
【図１２】
2010216162.tif 000014
【図１３】
2010216162.tif 000015
【手続補正書】
【提出日】平成21年6月29日(2009.6.29)
【手続補正１】
【補正対象書類名】特許請求の範囲
【補正対象項目名】請求項１
【補正方法】変更
【補正の内容】
【請求項１】
クリンプ金網と、その内側に配筋された鉄筋と、前記鉄筋に固定されて法面に削孔されたアンカー孔に固定される引張材を挿通させるための挿入管とを有して構成される枠体を備え、この枠体と一体をなしてモルタル又はコンクリートで前記法面に直接打設成型された法面ブロックと、
この法面ブロックの上面に設置され、前記法面ブロックの上面よりも小さい設置面を有すると共に前記挿入管を挿通させた引張材を挿通させる養生管を備えた受圧板と、
この受圧板に取り付けられて前記養生管を挿通した前記引張材を定着する定着具と、
を有することを特徴とするアンカー工法用受圧装置。
【手続補正２】
【補正対象書類名】明細書
【補正対象項目名】００１６
【補正方法】変更
【補正の内容】
【００１６】
上記課題を解決するために、本発明に係るアンカー工法用受圧装置は、クリンプ金網と、その内側に配筋された鉄筋と、前記鉄筋に固定されて法面に削孔されたアンカー孔に固定される引張材を挿通させるための挿入管とを有して構成される枠体を備え、この枠体と一体をなしてモルタル又はコンクリートで前記法面に直接打設成型された法面ブロックと、この法面ブロックの上面に設置され、前記法面ブロックの上面よりも小さい設置面を有すると共に前記挿入管を挿通させた引張材を挿通させる養生管を備えた受圧板と、この受圧板に取り付けられて前記養生管を挿通した前記引張材を定着する定着具とを有することを特徴としている。
【手続補正３】
【補正対象書類名】明細書
【補正対象項目名】００３０
【補正方法】変更
【補正の内容】
【００３０】
さらに、枠体の大きさや形状を調節することで、法面の許容地盤支持力に対応させた法面ブロックの設置が容易に行え、また、法面ブロックは法面に対して直接打設成型されるので、予め成型した法面ブロックの運搬の必要もなく、法面における高所作業が容易かつ迅速に行え、作業労力を低減することが可能となる。
しかも、法面ブロックの上面に設置される受圧板を法面ブロックよりも小さくできるので、法面ブロックに設置される受圧板の形状や大きさを変えることなく、各設置箇所で共通した受圧板を用いることが可能となる。